(57)【要約】【課題】建物本体の上階部の内部に設けられた部屋の採光性を向上させることが可能な建物を提供することを目的とする。【解決手段】下屋部２０の上部に設けられる勾配屋根３０は、棟部３１ａの両側に屋根面３１ｂ，３１ｃを有する招き屋根部３１と、一方の屋根３１ｂから離間して配置される片流れ部３２と、これら招き屋根部３１の一方の屋根３１ｂと片流れ部３２との間に形成される開放部３３とを備え、この開放部３３の下方にルーフバルコニー２２ａが設けられており、このルーフバルコニー２２ａと建物本体１０との間の壁２３に第１開口部２３ａが形成され、この第１開口部２３ａは、側面視において、この第１開口部２３ａの上部が前記招き屋根部３１の一方の屋根３１ｂの延長線Ｌよりも上方に位置する高さに配置されている。これにより、第１開口部から建物本体の内部へと日差しを取り込むことができる。【選択図】図１
2010059732.tif 000002
【特許請求の範囲】
【請求項１】
建物本体と、この建物本体の側面に隣接配置されるとともに、上部に勾配屋根が設けられる下屋部とからなる建物において、
前記勾配屋根は、前記建物本体の側面に直交する方向に配置される棟部の両側に屋根面を有する招き屋根部と、この招き屋根部を構成する屋根のうち、棟部から下端部までの長さが他方の屋根よりも短い一方の屋根の延長線上に、この一方の屋根から離間して配置される片流れ部と、これら招き屋根部の一方の屋根と片流れ部との間に形成される開放部とを備えており、
この開放部の下方には、前記下屋部の下階部の上方に配置されるルーフバルコニーが設けられており、このルーフバルコニーと前記建物本体との間の壁には、これらルーフバルコニーと建物本体の内部とを連通する第１開口部が形成されており、
この第１開口部は、側面視において、この第１開口部の上部が前記招き屋根部の一方の屋根の延長線よりも上方に位置する高さに配置されていることを特徴とする建物。
【請求項２】
請求項１に記載の建物において、
前記招き屋根部は、前記棟部から一方の屋根の下端部までの長さが、前記棟部から他方の屋根の下端部までの長さよりも所定の長さ分短くなるように設定されていることを特徴とする建物。
【請求項３】
請求項１または２に記載の建物において、
前記招き屋根部の一方の屋根の下端部は、この一方の屋根の延長線に沿って前記ルーフバルコニー側に突出していることを特徴とする建物。
【請求項４】
請求項１〜３のいずれか一項に記載の建物において、
前記片流れ部の上端部は、前記一方の屋根の延長線に沿って前記ルーフバルコニー側に突出していることを特徴とする建物。
【請求項５】
請求項１〜４のいずれか一項に記載の建物において、
前記下屋部の妻壁の上端部の前記ルーフバルコニーに面する一部が、側面視において、凹状に切欠形成されていることを特徴とする建物。
【請求項６】
請求項１〜５のいずれか一項に記載の建物において、
前記下屋部の上階部には、前記ルーフバルコニーに隣接する小屋裏部屋が設けられており、これらルーフバルコニーと小屋裏部屋との間の壁には、これらルーフバルコニーと小屋裏部屋とを連通する第２開口部が形成されていることを特徴とする建物。
【請求項７】
請求項６に記載の建物において、
前記招き屋根部の他方の屋根には天窓が設けられていることを特徴とする建物。
【発明の詳細な説明】
【技術分野】
【０００１】
本発明は、建物本体と、この建物本体の側面に隣接配置されるとともに、上部に勾配屋根が設けられる下屋部とからなる建物に関する。
【背景技術】
【０００２】
従来、例えば建物本体の側面に、いわゆる下屋である玄関部が隣接するように配置された建物が知られている（例えば、特許文献１参照）。
特許文献１に記載の玄関部の上部には、建物本体の屋根の棟部と同方向に棟部が配置された切妻式の屋根が設けられており、この屋根の下方には、建物本体の上階部の内部に設けられた部屋と行き来可能な小屋裏収納室が設けられている。
【特許文献１】特開２００７−０９２３４９号公報
【発明の開示】
【発明が解決しようとする課題】
【０００３】
ところが、特許文献１に記載のような建物では、建物本体の側面に玄関部（以下、下屋部）が隣接して配置されているので、建物本体の側面に窓を設置するスペースを確保しにくく、確保できたとしても小さな窓しか設置できないため、建物本体の上階部の内部に設けられた部屋の採光が十分でない場合がある。
【０００４】
本発明の課題は、建物本体の上階部の内部に設けられた部屋の採光性を向上させることが可能な建物を提供することを目的とする。
【課題を解決するための手段】
【０００５】
請求項１に記載の発明は、例えば図１〜図４に示すように、建物本体１０と、この建物本体１０の側面に隣接配置されるとともに、上部に勾配屋根３０が設けられる下屋部２０とからなる建物１において、
前記勾配屋根３０は、前記建物本体１０の側面に直交する方向に配置される棟部３１ａの両側に屋根面３１ｂ，３１ｃを有する招き屋根部３１と、この招き屋根部３１を構成する屋根３１ｂ，３１ｃのうち、棟部から下端部までの長さが他方の屋根３１ｃよりも短い一方の屋根３１ｂの延長線Ｌ上に、この一方の屋根３１ｂから離間して配置される片流れ部３２と、これら招き屋根部３１の一方の屋根３１ｂと片流れ部３２との間に形成される開放部３３とを備えており、
この開放部３３の下方には、前記下屋部２０の下階部２１の上方に配置されるルーフバルコニー２２ａが設けられており、このルーフバルコニー２２ａと前記建物本体１０との間の壁２３には、これらルーフバルコニー２２ａと建物本体１０の内部とを連通する第１開口部２３ａが形成されており、
この第１開口部２３ａは、側面視において、この第１開口部２３ａの上部が前記招き屋根部３１の一方の屋根３１ｂの延長線Ｌよりも上方に位置する高さに配置されていることを特徴とする。
【０００６】
請求項１に記載の発明によれば、前記ルーフバルコニー２２ａと建物本体１０との間の壁２３には、これらルーフバルコニー２２ａと建物本体１０の内部とを連通する第１開口部２３ａが形成されているので、この第１開口部２３ａから前記建物本体１０の内部へと日差しを取り込むことができ、前記建物本体１０の上階部の内部に設けられた部屋１１の採光性を向上させることが可能となる。
すなわち、前記勾配屋根３０は、前記開放部３３の下方に、前記下屋部２０の下階部２１の上方に配置されるルーフバルコニー２２ａが設けられているので、このルーフバルコニー２２ａが設けられている分、前記建物本体１０の側面が屋外に対して広く露出することとなる。これによって、これらルーフバルコニー２２ａと建物本体１０との間の壁２３に、前記第１開口部２３ａを形成するためのスペースを確保しやすくなるとともに、この第１開口部２３ａの大きさを、例えば前記ルーフバルコニー２２ａがない場合に比して大きくすることができるので、前記建物本体１０の上階部の内部に設けられた部屋１１の採光性を向上させることができる。
さらに、このように大きく形成できる前記第１開口部２３ａは、側面視において、この第１開口部２３ａの上部が前記招き屋根部３１の一方の屋根３１ｂの延長線Ｌよりも上方に位置する高さに配置されているので、例えば日の出や日の入り時に太陽が低い位置にあることで、前記下屋部２０に向かう日差しが前記延長線Ｌよりも上方に注がれる際に、この日差しを、前記第１開口部２３ａの上部から前記建物本体１０の内部へと取り込むことができる。これによって、前記建物本体１０の上階部の内部に設けられた部屋１１の採光性を、より向上させることができる。
【０００７】
請求項２に記載の発明は、例えば図１および図２に示すように、請求項１に記載の建物１において、
前記招き屋根部３１は、前記棟部３１ａから一方の屋根３１ｂの下端部までの長さが、前記棟部３１ａから他方の屋根３１ｃの下端部までの長さよりも所定の長さ分短くなるように設定されていることを特徴とする。
【０００８】
請求項２に記載の発明によれば、前記招き屋根部３１は、前記棟部３１ａから一方の屋根３１ｂの下端部までの長さが、前記棟部３１ａから他方の屋根３１ｃの下端部までの長さよりも所定の長さ分短くなるように設定されているので、例えば、この所定の長さを、前記片流れ部３２と開放部３３とを配設する分の長さとすることで、前記一方の屋根３１ｂの下端部よりも下方に、前記片流れ部３２と開放部３３とを配設するスペースを確保することができる。
【０００９】
請求項３に記載の発明は、例えば図１〜図３に示すように、請求項１または２に記載の建物１において、
前記招き屋根部３１の一方の屋根３１ｂの下端部は、この一方の屋根３１ｂの延長線Ｌに沿って前記ルーフバルコニー２２ａ側に突出していることを特徴とする。
【００１０】
請求項３に記載の発明によれば、前記招き屋根部３１の一方の屋根３１ｂの下端部は、この一方の屋根３１ｂの延長線Ｌに沿って前記ルーフバルコニー２２ａ側に突出しているので、この一方の屋根３１ｂの下端部を、前記ルーフバルコニー２２ａ側に張り出す軒先部として利用することができる。すなわち、単に、前記一方の屋根３１ｂの下端部を前記ルーフバルコニー２２ａに突出するように形成するだけで、前記ルーフバルコニー２２ａに軒先部を形成することができるので、前記壁２４の上部に軒を形成する手間を省くことができるだけでなく、前記ルーフバルコニー２２ａにおける雨仕舞を向上させることができる。
【００１１】
請求項４に記載の発明は、例えば図１〜図３に示すように、請求項１〜３のいずれか一項に記載の建物１において、
前記片流れ部３２の上端部は、前記一方の屋根３１ｂの延長線Ｌに沿って前記ルーフバルコニー２２ａ側に突出していることを特徴とする。
【００１２】
請求項４に記載の発明によれば、前記片流れ部３２の上端部は、前記一方の屋根３１ｂの延長線Ｌに沿って前記ルーフバルコニー２２ａ側に突出しているので、この片流れ部３２の上端部を、前記ルーフバルコニー２２ａ側に張り出す手摺りとして利用したり、例えば、前記片流れ部３２の下方に収納庫を設けた場合などにおいて、前記片流れ部３２の上端部を、前記ルーフバルコニー２２ａ側に張り出す軒先部として利用することができる。すなわち、単に、前記片流れ部３２の上端部を前記ルーフバルコニー２２ａに突出するように形成するだけで、前記ルーフバルコニー２２ａに手摺りや軒先部を形成することができるので、前記壁２４の上部に手摺りや軒を形成する手間を省くことができるだけでなく、前記ルーフバルコニー２２ａにおける雨仕舞を向上させることができる。
【００１３】
請求項５に記載の発明は、例えば図１に示すように、請求項１〜３のいずれか一項に記載の建物１において、
前記下屋部２０の妻壁２５の上端部の前記ルーフバルコニー２２ａに面する一部が、側面視において、凹状に切欠形成されていることを特徴とする。
【００１４】
請求項５に記載の発明によれば、前記下屋部２０の妻壁２５の上端部の前記ルーフバルコニー２２ａに面する一部が、側面視において、凹状に切欠形成されているので、前記下屋部２０を外部から見た際に、前記妻壁２５の凹状の切欠部分（凹状切欠部２５ａ）から前記第１開口部２３ａを視認することができる。
また、前記下屋部２０に向かう日差しが、前記妻壁２５によって遮蔽されずに、前記第１開口部２３ａへと照射されることとなるので、前記下屋部２０に向かう日差しを、前記第１開口部２３ａから前記建物本体１０の内部へと効率良く取り込むことができる。これによって、前記建物本体１０の上階部の内部に設けられた部屋１１の採光性を、さらに向上させることができる。
【００１５】
請求項６に記載の発明は、例えば図２および図４に示すように、請求項１〜５のいずれか一項に記載の建物１において、
前記下屋部２０の上階部２２には、前記ルーフバルコニー２２ａに隣接する小屋裏部屋２２ｂが設けられており、これらルーフバルコニー２２ａと小屋裏部屋２２ｂとの間の壁２４には、これらルーフバルコニー２２ａと小屋裏部屋２２ｂとを連通する第２開口部２４ａが形成されていることを特徴とする。
【００１６】
請求項６に記載の発明によれば、前記ルーフバルコニー２２ａと小屋裏部屋２２ｂとの間の壁２４に、これらルーフバルコニー２２ａと小屋裏部屋２２ｂとを連通する第２開口部２４ａが形成されているので、この第２開口部２４ａから前記小屋裏部屋２２ｂへと日差しを取り込むことができ、この小屋裏部屋２２ｂの採光性を向上させることができる。これによって、前記建物本体１０の上階部および前記下屋部２０の上階部２２の採光性を向上させることができるので、建物１全体の採光性を向上させることができ、快適な居住環境を形成できることとなる。
【００１７】
請求項７に記載の発明は、例えば図１〜図３に示すように、請求項６に記載の建物１において、
前記招き屋根部３１の他方の屋根３１ｃには天窓３４が設けられていることを特徴とする。
【００１８】
請求項７に記載の発明によれば、前記招き屋根部３１の他方の屋根３１ｃには天窓３４が設けられているので、この天窓３４から差し込む日差しを、前記小屋裏部屋２２ｂへと取り込むことができ、この小屋裏部屋２２ｂの採光性を、より向上させることができる。
【発明の効果】
【００１９】
本発明によれば、勾配屋根の開放部の下方に設けられるルーフバルコニーと建物本体との間の壁には、これらルーフバルコニーと建物本体の内部とを連通する第１開口部が形成されているので、この第１開口部から建物本体の内部へと日差しを取り込むことができ、建物本体の上階部の内部に設けられた部屋の採光性を向上させることが可能となる。
すなわち、勾配屋根は、開放部の下方に、下屋部の下階部の上方に配置されるルーフバルコニーが設けられているので、このルーフバルコニーが設けられている分、建物本体の側面が屋外に対して広く露出することとなる。これによって、これらルーフバルコニーと建物本体との間の壁に、第１開口部を形成するためのスペースを確保しやすくなるとともに、この第１開口部の大きさを、例えばルーフバルコニーがない場合に比して大きくすることができるので、建物本体の上階部の内部に設けられた部屋の採光性を向上させることができる。
さらに、このように大きく形成できる第１開口部は、側面視において、この第１開口部の上部が招き屋根部の一方の屋根の延長線よりも上方に位置する高さに配置されているので、例えば日の出や日の入り時に太陽が低い位置にあることで、下屋部に向かう日差しが延長線よりも上方に注がれる際に、この日差しを、第１開口部の上部から建物本体の内部へと取り込むことができる。これによって、建物本体の上階部の内部に設けられた部屋の採光性を、より向上させることができる。
【発明を実施するための最良の形態】
【００２０】
以下、図面を参照して本発明の実施の形態について説明する。なお、本実施の形態の建物１は、壁や床、屋根といった建物１の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２１】
また、このパネルとは、図示はしないが、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２２】
本実施の形態の建物は、図１〜図４に示すように、建物本体１０と、この建物本体１０の側面に隣接配置されるとともに、上部に勾配屋根３０が設けられる下屋部２０とからなるものであり、
前記勾配屋根３０は、前記建物本体１０の側面に直交する方向に配置される棟部３１ａの両側に屋根面３１ｂ，３１ｃを有する招き屋根部３１と、この招き屋根部３１を構成する屋根３１ｂ，３１ｃのうち、棟部から下端部までの長さが他方の屋根３１ｃよりも短い一方の屋根３１ｂの延長線Ｌ上に、この一方の屋根３１ｂから離間して配置される片流れ部３２と、これら招き屋根部３１の一方の屋根３１ｂと片流れ部３２との間に形成される開放部３３とを備えており、
この開放部３３の下方には、前記下屋部２０の下階部２１の上方に配置されるルーフバルコニー２２ａが設けられており、このルーフバルコニー２２ａと前記建物本体１０との間の壁２３には、これらルーフバルコニー２２ａと建物本体１０の内部とを連通する第１開口部２３ａが形成されており、
この第１開口部２３ａは、側面視において、この第１開口部２３ａの上部が前記招き屋根部３１の一方の屋根３１ｂの延長線Ｌよりも上方に位置する高さに配置されている。
【００２３】
ここで、前記勾配屋根３０は、前記招き屋根部３１の棟部３１ａを中心として、この招き屋根部３１の一方および他方の屋根３１ｂ，３１ｃと、前記片流れ部３２と、前記開放部３３とによって左右にバランスよく屋根面が形成された切妻形式の屋根が採用されている。
すなわち、前記招き屋根部３１は、前記棟部３１ａから一方の屋根３１ｂの下端部までの長さが、前記棟部３１ａから他方の屋根３１ｃの下端部までの長さよりも所定の長さ分短くなるように設定されており、本実施の形態において、この所定の長さは、前記片流れ部３２と開放部３３とを配設する分の長さに設定されている。これによって、前記一方の屋根３１ｂの下端部よりも下方に、前記片流れ部３２と開放部３３とを配設するスペースを確保でき、前記招き屋根部３１の棟部３１ａを中心として左右にバランスよく屋根面が形成された切妻形式の屋根を形成できるようになっている。
【００２４】
ここで、本発明の招き屋根部３１とは、招き屋根の形式の屋根である。招き屋根とは、片流れ屋根の上部を折り曲げて反対の方向へ流したもの、あるいは折り曲げた部分が長い場合は切妻屋根の変形とも考えられているものである。
すなわち、招き屋根とは、棟部を有しており、この棟部の両側に流れる屋根面のうち、一方の屋根面は棟部から下端部までの長さが短く設定され、他方の屋根面は棟部から下端部までの長さが長く設定された屋根である。また、一方の屋根面の長さは、他方の屋根面の長さに対して相当な程度、短くなるように設定されているものである。
【００２５】
また、前記開放部３３は、図１〜図３に示すように、前記招き屋根部３１の一方の屋根３１ｂと片流れ部３２とを完全に絶縁・分断して、これら招き屋根部３１と片流れ部３２とを離間させるものである。つまり、これら招き屋根部３１と片流れ部３２とは、この開放部３３を介すことによって前記勾配屋根３０を構成するものとなる。
そして、この開放部３３の下方に前記ルーフバルコニ２２ａを設けることによって、このルーフバルコニー２２ａを、前記下屋部２０の上階部に配置しながら露天の状態とすることができる。
【００２６】
また、前記招き屋根部３１の一方の屋根３１ｂの下端部は、この一方の屋根３１ｂの延長線Ｌに沿って前記ルーフバルコニー２２ａ側に突出している。
これによって、この一方の屋根３１ｂの下端部を、前記ルーフバルコニー２２ａ側に張り出す軒先部として利用することができる。すなわち、単に、前記一方の屋根３１ｂの下端部を前記ルーフバルコニー２２ａに突出するように形成するだけで、前記ルーフバルコニー２２ａに軒先部を形成することができるので、前記壁２４の上部に軒を形成する手間を省くことができるだけでなく、前記ルーフバルコニー２２ａにおける雨仕舞を向上させることができる。
なお、この一方の屋根３１ｂの下端部には、この一方の屋根３１ｂの上面を流れる雨水を受け止めるための軒樋が設けられている。
【００２７】
さらに、前記片流れ部３２の上端部は、前記一方の屋根３１ｂの延長線Ｌに沿って前記ルーフバルコニー２２ａ側に突出している。
これによって、この片流れ部３２の上端部を、前記ルーフバルコニー２２ａ側に張り出す手摺りとして利用したり、例えば、前記片流れ部３２の下方に収納庫を設けた場合などにおいて、前記片流れ部３２の上端部を、前記ルーフバルコニー２２ａ側に張り出す軒先部として利用することができる。すなわち、単に、前記片流れ部３２の上端部を前記ルーフバルコニー２２ａに突出するように形成するだけで、前記ルーフバルコニー２２ａに手摺りや軒先部を形成することができるので、前記壁２４の上部に手摺りや軒を形成する手間を省くことができるだけでなく、前記ルーフバルコニー２２ａにおける雨仕舞を向上させることができる。
【００２８】
一方、前記建物本体１０は、図１〜図４に示すように、下階部と上階部とからなり、この建物本体１０内にスキップフロアが設けられて、前記下屋部２０よりも高くなるように形成されており、この建物本体１０の上階部には、この建物本体１０の側面付近に配置される部屋１１が設けられている。
また、この建物本体１０の上部には屋根１２が設けられており、この屋根１２は、前記勾配屋根３０の招き屋根部３１の棟部３１ａと同じ方向に配置される棟部１２ａの両側に屋根面を有する切妻屋根となっている。したがって、前記下屋部２０は、この建物本体の１０の妻側の側面に隣接している。
【００２９】
なお、本実施の形態においては、前記建物本体１０の屋根１２も、前記下屋部２０の屋根３０も切妻屋根であるとしたが、これに限られるものではなく、例えば、建物１の屋根の一端部から他端部が通しの棟ではなく、異なる複数の棟を採用し、屋根の流れを共有しながら棟位置をかえた形式の棟違い屋根等でもよい。
【００３０】
一方、前記下屋部２０は、図２および図４に示すように、下階部２１と上階部２２とからなり、本実施の形態の建物１の玄関を備えた下屋として利用されている。したがって、前記下階部２１は、玄関ポーチ２１ａと、この玄関ポーチ２１ａに連なる玄関室２１ｂと、この玄関室２１ｂに連なるとともに、下階部２１から上階部２２に吹き抜ける下階収納室２１ｃとを備えている。
また、前記上階部２２は、前記玄関室２１ｂの上方に配置される前記ルーフバルコニー２２ａと、このルーフバルコニー２２ａに隣接する小屋裏部屋２２ｂとを備えている。なお、前記ルーフバルコニ２２ａは、上述のように前記開放部３３の下方に設けられており、前記小屋裏部屋２２ｂは、前記招き屋根部３１の下方に設けられている。
【００３１】
また、これらルーフバルコニー２２ａと小屋裏部屋２２ｂとの間の壁２４には、これらルーフバルコニー２２ａと小屋裏部屋２２ｂとを連通する第２開口部２４ａが形成されている。これによって、この第２開口部２４ａから前記小屋裏部屋２２ｂへと日差しを取り込むことができ、この小屋裏部屋２２ｂの採光性を向上させることができる。
さらに、前記招き屋根部３１の他方の屋根３１ｃには天窓３４が設けられており、この天窓３４から差し込む日差しを、前記小屋裏部屋２２ｂへと取り込むことができ、この小屋裏部屋２２ｂの採光性を、より向上できるようになっている。
【００３２】
一方、前記ルーフバルコニー２２ａは、図２および図４に示すバルコニー床２７と、複数の壁とで囲まれる位置を指している。
そして、これら複数の壁とは、前記建物本体１０との間の壁２３と、前記小屋裏部屋２２ｂとの間の壁２４と、図１に示す前記下屋部２０の妻壁２５と、図２に示す前記片流れ部３２を支持する壁２６とを指している。
【００３３】
前記壁２３には、上述のように第１開口部２３ａが形成されている。また、この第１開口部２３ａは、本実施の形態においては、図２に示すように、ガラス等の透光性部材が嵌め込まれるとともに、人の腰よりも上方に設けられるような窓が採用されているが、これに限られるものではなく、人が屈まずに出入できるような戸を採用してもよいものとする。なお、このような戸を採用した場合であっても、この戸にはガラス等の透光性部材が嵌め込まれ、採光できるような構成となっている。
【００３４】
また、この壁２３は、前記建物本体１０を構成する外壁でもあるため、前記ルーフバルコニー２２ａを囲むようにして該ルーフバルコニー２２ａを構成するとともに、このルーフバルコニー２２ａよりも上方または左右に格段に広くなるように形成されている。
したがって、この壁２３は、屋外に対して広く露出することとなる。しかも、前記建物本体１０に隣接する下屋部２０にルーフバルコニー２２ａを設けるか否かによって、前記壁２３が屋外に対して広く露出する面積が異なるものとなる。これによって、これらルーフバルコニー２２ａと建物本体１０との間の壁２３に、前記第１開口部２３ａを形成するためのスペースを確保しやすくなるとともに、この第１開口部２３ａの大きさを、例えば前記ルーフバルコニー２２ａがない場合に比して大きくすることができるようになっている。
【００３５】
さらに、前記壁２４には、上述のように第２開口部２４ａが形成されている。また、この第２開口部２４ａは、本実施の形態においては、図２に示すように、ガラス等の透光性部材が嵌め込まれるとともに、人が屈まずに出入できるような戸が採用されているが、これに限られるものではなく、人の腰よりも上方に設けられるような窓を採用してもよいものとする。
この時、前記第１開口部２３ａと第２開口部２４ａとのうち、いずれか一方は人の出入がしやすい戸の形態を採用することが望ましい。これにより、前記ルーフバルコニー２２ａと建物１内部との行き来が容易となる。
【００３６】
また、前記妻壁２５は、図１に示すように、この妻壁２５の上端部の前記ルーフバルコニー２２ａに面する一部が、側面視において、凹状に切欠形成されている。これによって、前記下屋部２０を外部から見た際に、この妻壁２５の凹状の切欠部分から前記第１開口部２３ａを視認することができる。
また、前記下屋部２０に向かう日差しが、前記妻壁２５によって遮蔽されずに、前記第１開口部２３ａへと照射されることとなるので、前記下屋部２０に向かう日差しを、前記第１開口部２３ａから前記建物本体１０の内部へと効率良く取り込むことができる。
【００３７】
なお、この凹状に切欠形成された部分を凹状切欠部２５ａと称する。
この凹状切欠部２５ａは、略水平な底辺部２５ｂと、この底辺部２５ｂの一端部から前記片流れ部３２に向かって垂直な一側辺部２５ｃと、前記底辺部２５ｂの他端部から前記招き屋根部３１の一方の屋根３１ｂに向かって垂直な他側辺部２５ｄとを有するように形成されており、前記底辺部２５ｂを前記ルーフバルコニー２２ａにおける手摺りとして利用できるようになっている。
【００３８】
また、前記壁２６は、前記片流れ部３２を支持したり、前記ルーフバルコニー２２ａの周壁として設けられたりするだけでなく、例えば、前記片流れ部３２の下方に収納庫を設ける場合などにおいて、この収納庫への物品の出し入れを行うための取出口が設けられるようになっている。
【００３９】
以上のようにして、前記ルーフバルコニー２２ａは、図１〜図４に示すように、これら複数の壁２３，２４，２５，２６とバルコニー床２７とに囲まれるとともに、前記開放部３３および凹状切欠部２５ａを通じて屋外に向かって開放されるように構成されている。
【００４０】
本実施の形態によれば、前記ルーフバルコニー２２ａと建物本体１０との間の壁２３には、これらルーフバルコニー２２ａと建物本体１０の内部とを連通する第１開口部２３ａが形成されているので、この第１開口部２３ａから前記建物本体１０の内部へと日差しを取り込むことができ、前記建物本体１０の上階部の内部に設けられた部屋１１の採光性を向上させることが可能となる。
すなわち、前記勾配屋根３０は、前記開放部３３の下方に、前記下屋部２０の下階部２１の上方に配置されるルーフバルコニー２２ａが設けられているので、このルーフバルコニー２２ａが設けられている分、前記建物本体１０の側面が屋外に対して広く露出することとなる。これによって、これらルーフバルコニー２２ａと建物本体１０との間の壁２３に、前記第１開口部２３ａを形成するためのスペースを確保しやすくなるとともに、この第１開口部２３ａの大きさを、例えば前記ルーフバルコニー２２ａがない場合に比して大きくすることができるので、前記建物本体１０の上階部の内部に設けられた部屋１１の採光性を向上させることができる。
さらに、このように大きく形成できる前記第１開口部２３ａは、側面視において、この第１開口部２３ａの上部が前記招き屋根部３１の一方の屋根３１ｂの延長線Ｌよりも上方に位置する高さに配置されているので、例えば日の出や日の入り時に太陽が低い位置にあることで、前記下屋部２０に向かう日差しが前記延長線Ｌよりも上方に注がれる際に、この日差しを、前記第１開口部２３ａの上部から前記建物本体１０の内部へと取り込むことができる。これによって、前記建物本体１０の上階部の内部に設けられた部屋１１の採光性を、より向上させることができる。
【図面の簡単な説明】
【００４１】
【図１】本発明の建物を示す側面図である。
【図２】図１に示す建物を示す側断面図である。
【図３】図１に示す建物の建物本体の上階部の一部と、下屋部の勾配屋根を示す平断面図である。
【図４】スキップフロア構造により、図３に示す建物本体の上階部の一部よりも下方に位置する建物本体の上階部の一部と、下屋部の上階部を示す平断面図である。
【符号の説明】
【００４２】
１  建物
１０  建物本体
１１  部屋
２０  下屋部
２２ａ  ルーフバルコニー
２３  壁
２３ａ  第１開口部
３０  勾配屋根
３１  招き屋根部
３１ａ  棟部
３１ｂ  一方の屋根（屋根面）
３１ｃ  他方の屋根（屋根面）
３２  片流れ部
３３  開放部
Ｌ  延長線
【図１】
2010059732.tif 000003
【図２】
2010059732.tif 000004
【図３】
2010059732.tif 000005
【図４】
2010059732.tif 000006